(57)【特許請求の範囲】
【請求項１】
表示画面を備えた測定装置と、端末装置と、サーバ装置とを少なくとも備え、
前記測定装置は、測定データを取得する測定部と、前記測定データをバーコード、２次元コード又はコンポジットコードに変換するコード変換部と、変換して得られた前記コードまたは前記測定データの数値を前記表示画面に表示する表示部とを有し、
前記端末装置は、前記コードが表示された前記表示画面を撮像する撮像部と、撮像した前記コードを解析して送信用測定データを生成する解析部と、前記送信用測定データを前記サーバ装置に送信する送信部とを有し、
前記サーバ装置は、受信した前記送信用測定データを格納する記憶部を有し、
前記測定装置において、前記測定部は、複数個の測定データを取得可能であり、前記測定部から出力された複数個の測定データは記憶部に格納され、前記コード変換部は、利用者からコード変換の指示があった場合は、前記記憶部から、複数個の測定データを取り出し、前記複数個の測定データを一括してバーコード、２次元コード又はコンポジットコードに変換し、前記表示部が変換された前記コードを表示する、データ処理システム。
【請求項２】
表示画面を備えた測定装置と、端末装置と、サーバ装置とを少なくとも備え、
前記測定装置は、測定データを取得する測定部と、前記測定データをバーコード、２次元コード又はコンポジットコードに変換するコード変換部と、変換して得られた前記コードまたは前記測定データの数値を前記表示画面に表示する表示部とを有し、
前記端末装置は、前記コードが表示された前記表示画面を撮像する撮像部と、撮像して得られた前記表示画面の画像データを前記サーバ装置に送信する送信部とを有し、
前記サーバ装置は、受信した前記画像データに含まれる前記コードを解析して格納用測定データを生成する解析部と、前記格納用測定データを格納する記憶部とを有し、
前記測定装置において、前記測定部は、複数個の測定データを取得可能であり、前記測定部から出力された複数個の測定データは記憶部に格納され、前記コード変換部は、利用者からコード変換の指示があった場合は、前記記憶部から、複数個の測定データを取り出し、前記複数個の測定データを一括してバーコード、２次元コード又はコンポジットコードに変換し、前記表示部が変換された前記コードを表示する、データ処理システム。
【請求項３】
前記測定装置の前記測定部が、前記測定データとして、生体の血糖値、血圧値、心拍数、歩数、体重、体脂肪率、またはコレステロール値を取得する請求項１または２に記載のデータ処理システム。
【請求項４】
前記測定装置において、前記測定部は、複数個の測定データを取得可能であり、前記測定部から出力された複数個の測定データは、それぞれの測定日時を特定する時間情報と共に記憶部に格納され、前記コード変換部は、前記記憶部から、複数個の測定日時を含む測定データを取り出し、これらを全て含んだ情報を一括してバーコード、２次元コード又はコンポジットコードに変換する、請求項１から３のいずれか１項に記載のデータ処理システム。
【請求項５】
コードを表示するための表示画面を備えた測定装置と、前記コードが表示された前記表示画面を撮像し、撮像して得られた前記表示画面の画像データまたは当該画像データのコードを解析して得られる送信用測定データをサーバ装置に送信する端末装置と、前記端末装置から受信した前記画像データのコードを解析して得られる格納用測定データまたは前記送信用測定データを記憶するサーバ装置とを備えたデータ処理システムにおける測定装置であって、
測定データを取得する測定部と、取得された前記測定データをバーコード、２次元コード又はコンポジットコードに変換するコード変換部と、変換して得られた前記コードまたは前記測定データの数値を表示する表示部とを備え、
前記測定装置において、前記測定部は、複数個の測定データを取得可能であり、前記測定部から出力された複数個の測定データは記憶部に格納され、前記コード変換部は、利用者からコード変換の指示があった場合は、前記記憶部から、複数個の測定データを取り出し、前記複数個の測定データを一括してバーコード、２次元コード又はコンポジットコードに変換し、前記表示部は変換された前記コードを表示する、測定装置。
【請求項６】
前記測定部が、前記測定データとして、生体の血糖値、血圧値、心拍数、歩数、体重、体脂肪率、またはコレステロール値を取得する請求項５に記載の測定装置。
【請求項７】
測定装置から端末装置を介して送信された測定データをサーバ装置によって収集するデータ収集方法であって、
前記測定装置は、測定データをバーコード、２次元コード又はコンポジットコードに変換し、変換した前記コードまたは前記測定データの数値を表示画面に表示するものであり、前記端末装置は、前記コードが表示された前記表示画面を撮像し、撮像した前記コードを解析して送信用測定データを生成し、更に前記送信用測定データを送信するものであり、
前記サーバ装置によって、前記送信用測定データを受信し、受信した前記送信用測定データを格納する工程を少なくとも有し、
前記測定装置は、複数個の測定データを取得して記憶部に格納しておき、利用者からコード変換の指示があった場合は、前記記憶部から、複数個の測定データを取り出し、前記複数個の測定データを一括してバーコード、２次元コード又はコンポジットコードに変換し、表示することを特徴とするデータ収集方法。
【請求項８】
測定装置から端末装置を介して送信された測定データをサーバ装置によって収集するデータ収集方法であって、
前記測定装置は、測定データをバーコード、２次元コード又はコンポジットコードに変換し、変換した前記コードまたは前記測定データの数値を表示画面に表示するものであり、前記端末装置は、前記コードが表示された前記表示画面を撮像し、撮像して得られた前記表示画面の画像データを送信するものであり、
前記サーバ装置によって、前記画像データを受信し、受信した前記画像データに含まれる前記コードを解析して格納用測定データを生成し、生成した前記格納用測定データを格納する工程を少なくともし、
前記測定装置は、複数個の測定データを取得して記憶部に格納しておき、利用者からコード変換の指示があった場合は、前記記憶部から、複数個の測定データを取り出し、前記複数個の測定データを一括してバーコード、２次元コード又はコンポジットコードに変換し、表示することを特徴とするデータ収集方法。
【発明の詳細な説明】
【技術分野】
【０００１】  本発明は、データ処理装置、測定装置及びデータ収集方法に関する。
【背景技術】
【０００２】  糖尿病の患者においては、日頃から自己の血糖値を把握しておく必要があるため、近年、持ち運びの容易な携帯型の血糖測定装置が利用されている。このような携帯型の血糖測定装置は、測定データを記憶する記憶媒体を備えている。このため、医師は、血糖測定装置の記憶媒体から測定データを読み出し、読み出した測定データに基づいて患者に適切な治療やアドバイスを行うことができる。【０００３】  また、測定データを医師に開示するために、医療機関に頻繁に訪れなければならないとすると、患者にとって大きな負担となる。よって、近年においては、患者がインターネットを介して測定データを医療機関のサーバ装置に送信することができるようにしたシステムが利用されている（例えば、特許文献１〜３参照。）。【０００４】  このシステムによれば、患者は、携帯電話やパーソナルコンピュータ（以下「ＰＣ」という。）といった通信機器を用いて、即座にサーバ装置に測定データを送信できる。また、医師は、測定データが格納されたサーバ装置にＰＣ等によってアクセスすることによって患者の状態を知ることができる。更に、患者は、医師から電子メール等によってアドバイスを受けることができる。【０００５】  このようなインターネットを使ったシステムは、血糖測定装置だけでなく、他の装置でも有用であり、今後利用が拡大すると考えられる。他の装置としては、例えば、血圧測定装置、心拍数測定装置、尿成分測定（尿分析）装置、心電図測定装置、及び歩数測定装置等が挙げられる。
【特許文献１】特開２００２−３６８９０４号公報
【特許文献２】特開２００２−３６８９０７号公報
【特許文献３】国際公開第０１／０８８７６４号パンフレット
【発明の開示】
【発明が解決しようとする課題】
【０００６】  しかしながら、測定装置で得られた測定データを通信機器によって送信するためには、測定装置と通信機器とを有線又は無線によって接続し、測定データを通信機器に転送する必要がある。このため、測定装置に、接続対象となる通信機器に対応したインターフェイスを設けなければならないという問題がある。【０００７】  また、測定装置で得られた測定データのフォーマットは特殊であり、通信機器で送信するためには、送信可能なフォーマットに変更する必要がある。このため、通信機器として、ＰＣを用いる場合は、測定装置毎に、フォーマット変更を行うためのソフトを開発しなければならないという問題がある。【０００８】  更に、通信機器として携帯電話を用いる場合は、特許文献１及び２に示すように、測定装置との間に介在してフォーマット変更を行うアダプタが必要となり、このアダプタを測定装置毎に開発しなければならないという問題がある。また、携帯電話は、通信方式が携帯電話会社や製品毎に異なるため、このようなアダプタは携帯電話会社や製品毎にも開発しなければならない。【０００９】  本発明の目的は、上記問題を解消し、データ送信を行う端末装置と各種測定装置とを接続することなく、簡単に測定データの読込み及び送信を行い得るデータ処理システム及びデータ収集方法、更にはこれらの実施に用いられる測定装置を提供することにある。
【課題を解決するための手段】
【００１０】  上記目的を達成するため本発明におけるデータ処理システムの第１の態様は、表示画面を備えた測定装置と、端末装置と、サーバ装置とを少なくとも備え、前記測定装置は、測定データを取得する測定部と、前記測定データをバーコード、２次元コード又はコンポジットコードに変換するコード変換部と、変換して得られた前記コードを前記表示画面に表示する表示部とを有し、前記端末装置は、前記コードが表示された前記表示画面を撮像する撮像部と、撮像した前記コードを解析して送信用測定データを生成する解析部と、前記送信用測定データを前記サーバ装置に送信する送信部とを有し、前記サーバ装置は、受信した前記送信用測定データを格納する記憶部を有することを特徴とする。【００１１】  上記目的を達成するため本発明におけるデータ処理システムの第２の態様は、表示画面を備えた測定装置と、端末装置と、サーバ装置とを少なくとも備え、前記測定装置は、測定データを取得する測定部と、前記測定データをバーコード、２次元コード又はコンポジットコードに変換するコード変換部と、変換して得られた前記コードを前記表示画面に表示する表示部とを有し、前記端末装置は、前記コードが表示された前記表示画面を撮像する撮像部と、撮像して得られた前記表示画面の画像データを前記サーバ装置に送信する送信部とを有し、前記サーバ装置は、受信した前記画像データに含まれる前記コードを解析して格納用測定データを生成する解析部と、前記格納用測定データを格納する記憶部とを有することを特徴とする。【００１２】  また、上記目的を達成するため本発明における測定装置は、測定データを取得する測定部と、取得された前記測定データをバーコード、２次元コード又はコンポジットコードに変換するコード変換部と、変換して得られた前記コードを表示する表示部とを備えたことを特徴とする。【００１３】  更に、上記目的を達成するため本発明におけるデータ収集方法の第１の態様は、測定装置から端末装置を介して送信された測定データをサーバ装置によって収集するデータ収集方法であって、前記測定装置は、測定データをバーコード、２次元コード又はコンポジットコードに変換し、変換した前記コードを表示画面に表示するものであり、前記端末装置は、前記コードが表示された前記表示画面を撮像し、撮像した前記コードを解析して送信用測定データを生成し、更に前記送信用測定データを送信するものであり、前記サーバ装置によって、前記送信用測定データを受信し、受信した前記送信用測定データを格納する工程を少なくとも有することを特徴とする。【００１４】  また、上記目的を達成するため本発明におけるデータ収集方法の第２の態様は、測定装置から端末装置を介して送信された測定データをサーバ装置によって収集するデータ収集方法であって、前記測定装置は、測定データをバーコード、２次元コード又はコンポジットコードに変換し、変換した前記コードを表示画面に表示するものであり、前記端末装置は、前記コードが表示された前記表示画面を撮像し、撮像して得られた前記表示画面の画像データを送信するものであり、前記サーバ装置によって、前記画像データを受信し、受信した前記画像データに含まれる前記コードを解析し��格納用測定データを生成し、生成した前記格納用測定データを格納する工程を少なくとも有することを特徴とする。
【発明の効果】
【００１５】  以上のように本発明によれば、測定データはバーコード、２次元コード又はコンポジットコードに変換されて表示画面に表示される。また、データ送信用の端末装置は撮像機能を備えているため、測定データはコードに変換された状態で画像データとして端末装置に取り込まれる。このため、本発明によれば、データ送信を行う端末装置と各種測定装置とを接続することなく、簡単に測定データの読込み及び送信を行うことができる。
【図面の簡単な説明】
【００１６】
【図１】図１は、本発明の実施の形態１における測定装置の構成を示すブロック図である。
【図２】図２は、本発明の実施の形態１における測定装置の外観を示す平面図であり、図２（ａ）は表示画面にバーコードを表示した状態を示し、図２（ｂ）は表示画面に２次元コードを表示した状態を示している。
【図３】図３は、本発明の実施の形態１における端末装置の構成を示すブロック図である。
【図４】図４は、本発明の実施の形態１におけるサーバ装置の構成を示すブロック図である。
【図５】図５は、本発明の実施の形態１におけるデータ処理システムの全体構成を示す図である。
【図６】図６は、本発明の実施の形態１におけるデータ処理システムの動作を示すフロー図である。
【図７】図７は、本発明の実施の形態２における端末装置の構成を示すブロック図である。
【図８】図８は、本発明の実施の形態２におけるサーバ装置の構成を示すブロック図である。
【図９】図９は、本発明の実施の形態２におけるデータ処理システムで行われる処理を示すフロー図である。
【図１０】図１０は、本発明の実施の形態３における測定装置で行われる処理を示すフロー図である。
【発明を実施するための最良の形態】
【００１７】  上記本発明におけるデータ処理システム及び測定装置においては、前記コード変換部が、前記測定データをＱＲコード（登録商標）に変換する態様とすることができる。また、前記測定部が、前記測定データとして、生体の血糖値、血圧値、心拍数、歩数、体重、体脂肪率、またはコレステロール値を取得する態様とすることもできる。【００１８】  （実施の形態１）
以下、本発明の実施の形態１における測定装置、データ処理システム、及びデータ収集方法について、図１〜図６を参照しながら説明する。最初に、本実施の形態１における測定装置及びデータ処理システムの構成について図１〜図５を用いて説明する。【００１９】  本実施の形態１におけるデータ処理システムは、主に、測定装置、端末装置、及びサーバ装置を備えている。なお、本実施の形態１においては、測定装置が血糖測定装置である例について説明するが、測定装置は血糖測定装置に限定されるものではない。【００２０】  図１は、本発明の実施の形態１における測定装置の構成を示すブロック図である。図１に示すように、測定装置は、主に、制御部１、測定部２、コード変換部３、記憶部４、表示部５、及び時計６を備えている。また、測定装置は携帯可能な小型の装置である。【００２１】  測定部２は、測定データの取得を行う。具体的には、測定部２は、生体の血糖値を測定するセンサ（図示せず）からの情報に基づき、生体の血糖値を特定する測定データを制御部１に出力する。制御部１に出力された測定データは、制御部１によって記憶部４に出力され、そこに格納される。また、このとき、制御部１は、時計６から出力された時間情報も記憶部４に出力する。この時間情報は測定日時を特定しており、測定データの一部として記憶部４に格納される。【００２２】  また、記憶部４には測定データに付加する付加情報が予め格納されている。付加情報としては、例えば、サーバ装置（図４及び図５参照）が測定装置を識別するための装置ＩＤ、測定装置を使用する利用者を特定するための利用者ＩＤ、測定項目名、管理情報及び利用者の食事時間等が挙げられる。なお、利用者の食事時間は、利用者が食事の際に、測定装置に設けられた入力ボタン（図示せず）を押した場合に、制御部１がその時の時間情報を記憶部４に出力することによって取得されている。【００２３】  コード変換部３は、測定部２によって取得された測定データをバーコード、２次元コード又はコンポジットコードに変換する。但し、本実施の形態１においては、制御部１は記憶部４から測定データ（測定日時を含む）と付加情報とを取り出し、付加情報を付加した測定データをコード変換部３に出力する。このため、コード変換部３は、付加情報が付加された測定データをバーコード、２次元コード又はコンポジットコードに変換する。【００２４】  また、本実施の形態１において、コード変換部３は、バーコード、２次元コード、及びコンポジットコードのいずれへの変換も行うことができる。このため、端末装置（図３及び図５）がバーコード、２次元コード及びコンポジットコードのうちいずれかの解析しか行えない場合であっても、対応することができる。なお、コード変換部３は、バーコード、２次元コード及びコンポジットコードのうちいずれかへの変更しかできない態様であっても良い。【００２５】  本実施の形態１において、バーコード、２次元コード、及びコンポジットコードとしては、国際的に規格化されたものを用いるのが好ましい。例えば、バーコードとしては、ＪＡＮコード、ＩＴＦコード、ＮＷ−７コード等が挙げられる。また、２次元コードとしては、ＱＲ（Ｑｕｉｃｋ  Ｒｅｓｐｏｎｓｅ��コード（登録商標）、データコード（ＥＣＣ２００）、ＳＴコード（登録商標）等が挙げられる。コンポジットコードとしては、上記例示のバーコードと二次元コードとを組み合わせたものが挙げられる。コード変換部３によって作成されたコードは、表示部５の表示画面（図１において図示せず）に表示される。【００２６】  図２は、本発明の実施の形態１における測定装置の外観を示す平面図であり、図２（ａ）は表示画面にバーコードを表示した状態を示し、図２（ｂ）は表示画面に２次元コードを表示した状態を示している。【００２７】  図２に示す測定装置１０は、手の平に収まる程度の大きさで、利用者が持ち運び出来るように構成されている。図２（ａ）及び（ｂ）に示すように、測定装置１０の外装には、コード変換ボタン９、センサ装着部１１、電源ボタン１２、及び表示画面１３が設けられている。なお、図２においては図示していないが、測定装置１０には、利用者が測定装置１０に対して各種の操作を行うための入力ボタンが更に設けられる。【００２８】  センサ装着部１１には、血糖値を測定するためのセンサ（図示せず）が取り付けられる。利用者は、指先等から採取した微量な血液をこのセンサに付着させて血糖値の測定を行う。また、この血糖値を測定するためのセンサは、使い捨てであり、利用者は測定の度にセンサ装着部１１に新しいセンサを取り付けて測定を行う。【００２９】  測定の終了後、表示画面１３には、血糖値や測定日時などが文字や数字で表示される。その後、利用者がコード変換ボタン９を押すと、表示画面１３には、図２（ａ）に示すバーコード７や、図２（ｂ）に示すＱＲコード（登録商標）８が表示される。【００３０】  図１及び図２の例では、測定装置の小型化を図るため、表示部５（図１参照）としては、液晶表示装置やＥＬ表示装置といった軽量・薄型の表示装置が使用されている。但し、表示画面１３には、図２に示すようにバーコードや２次元コードを表示する必要がある。例えば、ＱＲコード（登録商標）の場合、表示するためには最小で２１×２１セルが必要となり、更にマージンを考慮すると少なくとも２９×２９セルが必要となる。このため、測定装置１０の表示部５としては、１７７×１７７セル以上、マージンを考慮した場合は１８５×１８５セル以上の解像度を備えた表示装置を用いるのが好ましい。なお、測定装置の表示部としては、今後開発される軽量・薄型の表示装置を用いることもできる。【００３１】  図１及び図２に示した測定装置は血糖測定装置であるが、本発明において、測定装置はこれ以外の他の測定装置であっても良い。具体的には、他の測定装置としては、血圧測定装置、心拍数測定装置、尿成分測定（尿分析）装置、心電図測定装置、歩数測定装置（歩数計）、体重測定装置（体重計）、体脂肪率測定装置（体脂肪計）、体温測定装置（体温計）、及びコレステロール値測定装置（コレステロール計）等が挙げられる。この場合、測定部２は、測定データとして、生体の血圧値、心拍数、歩数、体重、体脂肪率、またはコレステロール値等を取得する。【００３２】  また、例えば、測定装置が血圧測定装置である場合は、測定部２は血圧値を特定する測定データを制御部１に出力する。また、測定装置が、心拍���定装置である場合は、測定部２が心拍数を特定する測定データを制御部１に出力する。測定部２以外の部分は、図１の例と同様に構成できる。【００３３】  図３は、本発明の実施の形態１における端末装置の構成を示すブロック図である。図３に示すように、端末装置は、制御部２１、撮像部２２、通信部２３、記憶部２４及び解析部２５を備えている。【００３４】  撮像部２２は、バーコード、２次元コード又はコンポジットコードが表示された測定装置の表示画面１３（図２参照）を撮像し、画像データを制御部２１に出力する。本実施の形態１においては、撮像部２２は、図示していないが、撮像レンズ、ＣＣＤやＣＭＯＳといった撮像素子、画像データを出力する周辺回路等で構成されている。【００３５】  制御部２１に入力された画像データは、制御部２１から記憶部２４に出力され、そこに格納される。解析部２５は、制御部２１を介して記憶部２４に格納された画像データを読み込み、撮像されたバーコード、２次元コード又はコンポジットコードを解析して、送信用測定データを生成する。【００３６】  但し、画像データの画質が悪い場合や、画像データにおいてバーコード、２次元コード又はコンポジットコードの一部が欠けている場合等は解析が不可能であるため、解析部２５はそのことを通知する信号を制御部２１に出力する。このような場合、制御部２１は、端末装置の表示画面（図示せず）に再度撮影を行う必要があることを表示することができる。【００３７】  また、本実施の形態１においては、解析部２５によるコードの解析は、記憶部２４に予め格納されている複数の基準となるバーパターン又はセルパターンと、画像データから特定されたパターンとを比較することによって行われる。また、基準となるセルパターン及びバーパターンは、端末装置で扱うことができる文字コードに対応付けて記憶部２４に格納されている。このため、解析部２５による解析によって、端末装置で送信可能な測定データが生成される。【００３８】  解析部２５によって生成された送信用測定データは、通信部２３によって、外部のサーバ装置（図４及び図５参照）に送信される。通信部２３は、インターネットを介してデータの送信及び受信を行うことができるように構成されたものである。なお、通信部２３は、送信用測定データをサーバ装置に送信する機能のみを備えたものであっても良いが、本実施の形態１においては、データを受信する機能も備えている。このため、端末装置は、サーバ装置からのデータを受信することもできる。【００３９】  本実施の形態１において、端末装置は、例えば、ＣＣＤカメラやＣＭＯＳカメラを搭載し、且つ、インターネットへの接続機能を備えた携帯電話に、バーコード、２次元コード又はコンポジットコードの解析ソフトをインストールすることによって実現できる。この場合、携帯電話のＣＰＵが図３に示す制御部２１及び解析部２５として機能することになる。なお、バーコード、２次元コード又はコンポジットコードを解析する機能は、解析を行う専用のチップを携帯電話に搭載することによっても付与することができる。【００４０】  また、インターネットに接続可能な汎用のＰＣやＰＤＡに、ＵＳＢカメラ等の外部カメラを接続し、バーコード、２次元コード又はコンポジットコードを解析するための解析ソフトをインストールすることによっても、本実施の形態１における端末装置を実現できる。この場合、ＰＣ又はＰＤＡのＣＰＵが図３に示す制御部２１及び解析部２５として機能することになる。【００４１】  図４は、本発明の実施の形態１におけるサーバ装置の構成を示すブロック図である。図４に示すように、サーバ装置は、制御部３１、ＩＤ確認部３２、記憶部３４、通信部３３を備えている。通信部３３は、端末装置（図３参照）との間でインターネットを介してデータの送信及び受信を行うことができるように構成されている。端末装置から送信された測定データは通信部３３で受信され、制御部３１に出力される。【００４２】  制御部３１は、入力された測定データから装置ＩＤ及び利用者ＩＤを抽出し、ＩＤ確認部３２に出力する。ＩＤ確認部３２は、入力された装置ＩＤ及び利用者ＩＤが登録されている装置ＩＤ及び利用者ＩＤと一致しているかどうかの判定を行い、結果を制御部３１に出力する。なお、登録された装置ＩＤ及び利用者ＩＤは記憶部３４に格納されている。【００４３】  また、制御部３１は、装置ＩＤ及び利用者ＩＤが既に登録されている場合は、測定データを記憶部３４に格納させる。一方、装置ＩＤ及び利用者ＩＤが既に登録されていない場合は、端末装置に登録されていない旨を通知する。【００４４】  ここで、図５を用いて、本発明の実施の形態１におけるデータ処理システムの全体構成について説明する。図５の例においては、端末装置として携帯電話２０が用いられている。携帯電話２０は、インターネット４０に接続してＷｅｂページのコンテンツを表示する機能と、内蔵された撮像素子による撮像機能とを備えている。更に、携帯電話２０には、バーコード及び２次元コードの解析ソフトが搭載されている。また、測定装置は、測定データを表示画面１３にＱＲコード（登録商標）８で表示するように構成されている。【００４５】  図５に示すデータ処理システムにおいては、利用者は、測定装置１０の表示画面１３に表示されたＱＲコード（登録商標）８を携帯電話２０によって撮影し、更に携帯電話２０に撮影した画面を解析させて送信用測定データを作成させる。【００４６】  また、図５の例では、サーバ装置３０はＷｅｂサーバである。このため、利用者は、携帯電話２０によってサーバ装置３０のＷｅｂページにアクセスし、Ｗｅｂページを介して携帯電話２０からサーバ装置３０へと測定データを送信する。また、サーバ装置３０で蓄積されている利用者の測定データは、Ｗｅｂページを介して携帯電話２０の表示画面に表示される。【００４７】  また、医師は、インターネット４０に接続されたＰＣ４１によって、サーバ装置３０のＷｅｂページにアクセスでき、ＰＣのブラウザ上で利用者の測定データを閲覧することができる。更に、医師は、電子メールを利用者の携帯電話２０に送信することによって、利用者に測定データに基づくアドバイスを与えることができる。【００４８】  次に、図１〜図５に示した本実施の形態１におけるデータ処理システムの動作について図６を用いて説明する。図６は、本発明の実施の形態１におけるデータ処理システムで行われる処理を示すフロー図��ある。図６においては、測定装置１０、端末装置（携帯電話２０）、サーバ装置３０それぞれの処理の流れが示されている。なお、本実施の形態１におけるデータ処理システムを動作させることにより、本実施の形態１におけるデータ収集方法がサーバ装置３０によって実行される。また、以下の説明においては適宜図１〜図５を参酌する。【００４９】  図６に示すように、測定装置１０においては、先ず、測定部２によって測定データの取得が行われる（ステップＳ１）。このとき、制御部１は取得された測定データを時間情報と共に記憶部４に格納する。次いで、取得された測定データは、表示部５の表示画面に数値で表示される（ステップＳ２）。これにより、利用者は測定データを確認することができる。【００５０】  次いで、測定装置１０の制御部１は、利用者からコード変換の指示が入力されたからどうかの判定をする（ステップＳ３）。具体的には、コード変換ボタン９（図２参照）が入力されたかどうかの判定を行う。入力された場合は、コード変換部３は、記憶部４から測定データ、時間情報及び付加情報を読み出し、付加情報及び時間情報が付加された測定データをバーコード、２次元コード又はコンポジットコードに変換する（ステップＳ４）。【００５１】  その後、ステップＳ４で得られたバーコード、２次元コード又はコンポジットコードが、測定装置１０の表示画面１３に表示され（ステップＳ５）、測定装置１０における処理は終了する。【００５２】  なお、本実施の形態１では、ステップＳ１における測定データの取得と、ステップＳ２おける測定データの表示とを複数回実施した後に、ステップＳ３における判定と、ステップＳ４における変換とを行うこともできる。この場合は、ステップＳ３〜Ｓ５は、取得された測定データ毎に複数回行われる。【００５３】  また、図６に示すように、携帯電話２０においては、先ず、制御部２１は、利用者によって撮影の指示が入力されたかどうか、即ち、シャッターボタンが押されたかどうかの判定を行う（ステップＳ１１）。なお、シャッターボタンが押されるまでの間、携帯電話２０の表示画面には、撮像部２２で取り込まれた画像がリアルタイムで表示される。【００５４】  シャッターボタンが押された場合は、制御部２１は、撮像部２２に撮影を行わせる（ステップＳ１２）。具体的には、制御部２１は、撮像部２２に電子シャッタ動作を行わせ、画像データを出力させる。【００５５】  次に、制御部２１が画像データを解析部２５に出力すると、解析部２５は、画像データに含まれるバーコード、２次元コード又はコンポジットコードの解析が可能かどうかの判定を行う（ステップＳ１３）。【００５６】  画像データの画質が悪い場合や、画像データに含まれるコードの一部が欠けている場合等は、解析部２５は解析不可能と判定し、制御部２１にそのことを通知する。この場合、制御部２１は、携帯電話２０の表示画面に再度撮影を行う旨を表示する（ステップＳ１８）。一方、解析部２５は、解析可能と判定した場合は、送信用測定データを生成する（ステップＳ１４）。更に、制御部２１は表示画面に送信可能である旨を表示する（ステップＳ１５）。【００５７】  次いで、制御部２１は、利用者から送信を指示する入力��あったかどうかの判定を行い（ステップＳ１６）、入力があった場合は送信用測定データをサーバ装置３０に送信する（ステップＳ１７）。これにより、携帯電話２０での処理は終了する。上述したように、測定装置１０において複数個の測定データの取得が行われた場合は、ステップＳ１１〜Ｓ１７は、取得された測定データ毎に実施される。【００５８】  なお、本実施の形態１においては、上述したように、サーバ装置はＷｅｂサーバであるため、利用者は端末装置によってＷｅｂページにアクセスし、Ｗｅｂページ上でデータを送信する。また、端末装置が携帯電話やＰＣ等である場合は、サーバ装置のＷｅｂページのＵＲＬを登録することによって、測定データの送信を簡単に行うことができる。また、図示していないが、測定データの送信が正常に終了しなかった場合は、サーバ装置３０から測定データの送信が正常に終了していない旨の通知が送られ、Ｗｅｂページ上に表示される。【００５９】  また、図６に示すように、サーバ装置３０においては、先ず、携帯電話２０から測定データが送信されたかどうかの判定が行われる（ステップＳ２１）。測定データが送信されていない場合は、サーバ装置３０は待機状態となる。なお、測定データの送信が行われていても、正常に終了しなかった場合は、上述したように、正常に終了していない旨がＷｅｂページ上に表示され、サーバ装置３０は待機状態となる。【００６０】  測定データが送信されており、正常に送信が終了している場合は、ＩＤ確認部３２は、測定データに含まれる装置ＩＤ及び利用者ＩＤが既に登録されているかどうかの判定を行う（ステップＳ２２）。【００６１】  装置ＩＤ及び利用者ＩＤが登録されている場合は、サーバ装置３０の制御部３１は、装置ＩＤ及び利用者ＩＤによって送信元（測定装置及び利用者）を特定し（ステップＳ２３）、記憶部３４に測定データを格納させる（ステップＳ２４）。記憶部３４においては、利用者毎に測定データが蓄積される。【００６２】  一方、装置ＩＤ及び利用者ＩＤが登録されていない場合は、サーバ装置３０の制御部３１は、Ｗｅｂページ上に、登録されていない旨を表示する。更に利用者がＩＤ登録を行うための登録画面を表示して、利用者に登録を行わせる（ステップＳ２７）。登録された場合はステップＳ２３に移行する。【００６３】  次に、制御部３１は、通信部３３を介して携帯電話２０に処理が終了したことを通知する（ステップＳ２５）。本実施の形態１においては、Ｗｅｂページ上に、測定データの格納処理が終了したことが表示される。次いで、制御部３１は、登録された医師のＰＣ４１に新たな測定データが追加されたことを通知する（ステップＳ２６）。本実施の形態１においては、医師のＰＣ４１への通知は電子メールによって行われている。以上により、サーバ装置３０における処理は終了する。【００６４】  なお、上述したように、測定装置１０において複数個の測定データの取得が行われ、取得された測定データ毎にステップＳ１１〜Ｓ１７が実施された場合は、ステップＳ２１〜Ｓ２６は、取得された測定データ毎に実施される。【００６５】  以上のように本実施の形態１によれば、測定装置と端末装置とをアダプタやケーブルによって接続することな���、測定装置で取得された測定データを端末装置に取り込んで送信することができる。よって、測定装置には、従来のように接続のためのインターフェイスを設ける必要がなく、測定装置のコストの低減を図ることができる。【００６６】  また、本実施の形態１によれば、測定データはバーコード、２次元コード又はコンポジットコードに変換されるため、解析機能を備えた端末装置（携帯電話２０等）であれば、どのような種類の測定装置であっても測定データを取り込み、送信できる。このため、従来のように測定装置毎に、ソフトを開発する必要がなくなる。【００６７】  更に、バーコード、２次元コード又はコンポジットコードとして国際的に規格化されたものを用いることができるため、バーコード、２次元コード又はコンポジットコードの解析ソフトの開発は極めて容易である。このため、端末装置として、通信方式が異なる種々の携帯電話を用いることができる。【００６８】  （実施の形態２）
次に、本発明の実施の形態２における測定装置、データ処理システム及びデータ収集方法について、図７〜図９を参照しながら説明する。最初に、本実施の形態２における測定装置及びデータ処理システムの構成について図７及び図８を用いて説明する。【００６９】  本実施の形態２におけるデータ処理システムも、実施の形態１と同様に、主に、測定装置、端末装置、及びサーバ装置を備えている。本実施の形態２における測定装置は、図１及び図２で示した実施の形態１における測定装置と同様のものである。また、測定装置は、本実施の形態２においても血糖測定装置である。なお、実施の形態１と同様に測定装置は血糖測定装置に限定されるものではない。【００７０】  図７は、本発明の実施の形態２における端末装置の構成を示すブロック図である。図７に示すように、本実施の形態２においては、端末装置には、コード解析を行う解析部が備えられておらず、この点で、実施の形態１における端末装置と異なっている。このため、本実施の形態２における端末装置は、撮像部２２で撮像された画像の画像データをサーバ装置に送信する。【００７１】  また、本実施の形態２においても、端末装置として、携帯電話やＰＣ、ＰＤＡを用いることができる。但し、本実施の形態２においては、バーコード、２次元コード又はコンポジットコードを解析する機能を端末装置に備えておく必要がない。このため、ＣＣＤカメラやＣＭＯＳカメラを搭載し、画像データを送信する機能を備えたものであれば、本実施の形態２における端末装置として利用できる。【００７２】  図８は、本発明の実施の形態２におけるサーバ装置の構成を示すブロック図である。図８に示すように、サーバ装置は、実施の形態１と異なり、解析部３５を備えている。このため、本実施の形態２においては、バーコード、２次元コード又はコンポジットコードの解析はサーバ装置によって行われる。この点以外は、実施の形態１と同様であり、サーバ装置は、制御部３１、ＩＤ確認部３２、記憶部３４及び通信部３３も備えている。また、本実施の形態２においても、サーバ装置は、実施の形態１と同様にＷｅｂサーバである。【００７３】  サーバ装置の解析部３５は、図３に示した実施の形態１における端末装置の解析部２５と同様の機能を有している。具体的には、解析部３５によるコード解析も、サーバ装置の記憶部３４に予め格納されている複数の基準となるバーパターン又はセルパターンと、端末装置から送信された画像データから特定されたパターンとを比較することによって行われる。また、基準となるセルパターン及びバーパターンは、サーバ装置で扱うことができる文字コードに対応付けて格納されている。このため、サーバ装置の解析部３５による解析によって、サーバ装置で格納可能な測定データが生成される。【００７４】  また、本実施の形態２においては、画像データの画質が悪い場合や、画像データにおいてバーコード、２次元コード又はコンポジットコードの一部が欠けている場合等は、サーバ装置から端末装置に解析不可能である旨が通知される。【００７５】  次に、本実施の形態２におけるデータ処理システムの動作について図９を用いて説明する。図９は、本発明の実施の形態２におけるデータ処理シス���ムで行われる処理を示すフロー図である。図９においても、図６と同様に、測定装置、端末装置、サーバ装置それぞれの処理の流れが示されている。なお、本実施の形態２におけるデータ処理システムを動作させることにより、サーバ装置によって、本実施の形態２におけるデータ収集方法が実行される。また、以下の説明においては適宜図７及び図８を参酌する。【００７６】  図９に示すように、測定装置においては、図６に示した実施の形態１の場合と同様の処理が行われる。つまり、ステップＳ１〜Ｓ５の実行により、測定装置の表示画面にバーコード、２次元コード又はコンポジットコードが表示される。【００７７】  また、図９に示すように、端末装置（例えば携帯電話）においては、先ず、制御部２１は、利用者によって撮影の指示が入力されたかどうか判定を行う（ステップＳ３１）。ステップＳ３１は、図６に示したステップＳ１１と同様のステップである。また、本実施の形態２においても、シャッターボタンが押されるまでの間、端末装置の表示画面には、撮像部２２で取り込まれた画像がリアルタイムで表示される。【００７８】  シャッターボタンが押された場合は、制御部２１は、撮像部２２に撮影を行わせる（ステップＳ３２）。ステップＳ３２は、図６に示したステップＳ１２と同様のステップである。続いて、制御部２１は、利用者から送信を指示する入力があったかどうかの判定を行い（ステップＳ３３）、入力があった場合はステップＳ３２で得られた画像データをサーバ装置に送信する（ステップＳ３４）。【００７９】  なお、本実施の形態２においても、上述したように、サーバ装置はＷｅｂサーバである。よって、利用者は端末装置によってＷｅｂページにアクセスし、Ｗｅｂページ上でデータを送信する。【００８０】  また、本実施の形態２では、上述したように、サーバ装置から制御部２１に対して、コード解析が可能かどうかの通知が行われる。よって、ステップＳ３４の終了後、制御部２１は、サーバ装置からコード解析が可能である旨の通知が送信されているかどうかの確認を行う（ステップＳ３５）。【００８１】  コード解析が可能である旨の通知がなく、代わりに、コード解析が不可能である旨の通知があった場合は、端末装置の表示画面（図示せず）にはコード解析が不可能である旨が表示される（ステップＳ３６）。一方、コード解析が可能である旨の通知があった場合は、端末装置における処理は終了する。なお、上述したように、サーバ装置はＷｅｂサーバであるため、コード解析が可能であるかどうかは、端末装置の表示画面に表示されたＷｅｂページを介して通知されることになる。【００８２】  また、図９に示すように、サーバ装置においては、先ず、端末装置から測定データが送信されたかどうかの判定が行われる（ステップＳ４１）。ステップＳ４１は、図６に示したステップＳ２１と同様のステップである。測定データが送信されていない場合は、サーバ装置は待機状態となる。また、本実施の形態２においても、測定データの送信が正常に終了しなかった場合は、正常に終了していない旨がＷｅｂページ上に表示され、サーバ装置は待機状態となる。【００８３】  端末装置から測定データが送信されている場合は、サーバ装置の解析部３５は、コード解析が可能であるかどうかを判定する（ステップＳ４２）。画像データの画質が悪い場合や、画像データに含まれるコードの一部が欠けている場合等は、コード解析が不可能である旨が解析部３５から制御部３１に通知される。よって、制御部３１は通信部３３を介して端末装置に、コード解析が不可能である旨を通知する（ステップＳ４９）。【００８４】  一方、コード解析が可能である場合は、制御部３１は通信部３３を介して端末装置にその旨を通知する（ステップＳ４３）。本実施の形態２においては、これらの通知は、サーバ装置のＷｅｂページに表示される。【００８５】  コード解析が可能である旨が端末装置に通知されると、ＩＤ確認部３２は、測定データに含まれる装置ＩＤ及び利用者ＩＤが既に登録されているかどうかの判定を行う（ステップＳ４４）。ステップＳ４４は、図６に示したステップＳ２２と同様のステップである。【００８６】  装置ＩＤ及び利用者ＩＤが登録されている場合は、サーバ装置の制御部３１は、装置ＩＤ及び利用者ＩＤによって送信元（測定装置及び利用者）を特定し（ステップＳ４５）、記憶部３４に測定データを格納させる（ステップＳ４６）。ステップＳ４５及びＳ４６は、それぞれ図６に示したステップＳ２３及びＳ２４と同様のステップである。【００８７】  一方、装置ＩＤ及び利用者ＩＤが登録されていない場合は、サーバ装置３０の制御部３１は、Ｗｅｂページ上に、登録されていないことを表示する。更に、利用者がＩＤ登録を行うための登録画面を表示して、利用者に登録を行わせる（ステップＳ５０）。ステップＳ５０は、図６に示したステップＳ２７と同様のステップである。登録された場合はステップＳ４５に移行する。【００８８】  その後、制御部３１は、端末装置に処理が終了したことを通知し（ステップＳ４７）、更に、医師のＰＣ４１に電子メールを送信して、新たな測定データが追加された旨を通知する（ステップＳ４８）。ステップＳ４７及びＳ４８は、それぞれ図６に示したステップＳ２５及びＳ２６と同様のステップである。以上により、サーバ装置３０における処理は終了する。【００８９】  以上のように本実施の形態２においても、実施の形態１と同様に、測定装置と端末装置とをアダプタやケーブルによって接続することなく、測定装置で取得されたデータを端末装置に取り込んで送信することができる。また、実施の形態１と同様に、どのような種類の測定装置であっても測定データを取り込むことができ、従来のように測定装置毎に、ソフトを開発する必要はない。【００９０】  また、本実施の形態２においては、バーコード、２次元コード又はコンポジットコードの解析はサーバ装置で行われるため、端末装置は撮像機能と画像データを送信する機能とを備えていれば良い。よって、例えば、アプリケーションソフトの搭載が不可能な携帯電話であっても端末装置として利用することができるので、端末装置の選択の幅を実施の形態１よりも広げることができる。【００９１】  （実施の形態３）
次に、本発明の実施の形態３における測定装置、データ処理システム及びデータ収集方法について図１０を参照しながら説明する。先ず、本実施の形態３における測定装置及びデータ処理システムの構成について説明する。【００９２】  本実施の形態３においても、データ処理システムは、主に、測定装置、端末装置、及びサーバ装置を備えている。また、測定装置は、実施の形態１において図１に示した測定装置と同様に、主に、制御部、測定部、コード変換部、記憶部、表示部、及び時計を備えた血糖測定装置である。更に、測定装置は、実施の形態１において図１に示した測定装置と同様の機能を有している。【００９３】  但し、本実施の形態３においては、測定装置は、複数個の測定データを取得でき、これらの複数個の測定データを一括してコード変換することもできる。具体的には、制御部は、測定部から出力された複数個の測定データを、それぞれの測定日時を特定する時間情報と共に記憶部に格納する。コード変換部は、記憶部から、複数個の測定データ（測定日時を含む）と、付加情報とを取り出し、これらを全て含んだ情報をバーコード、２次元コード又はコンポジットコードに変換する。【００９４】  なお、本実施の形態３において、端末装置としては、実施の形態１において図３及び図５に示した端末装置、又は実施の形態２において図７に示した端末装置を用いることができる。また、サーバ装置としては、実施の形態１において図４に示したサーバ装置、又は実施の形態２において図８に示したサーバ装置を用いることができる。更に、本実施の形態３においても、測定装置は血糖測定装置に限定されるものではない。【００９５】  次に、本実施の形態３におけるデータ処理システムの動作について説明する。本実施の形態３においては、測定装置における処理が実施の形態１及び実施の形態２と異なっている。端末装置及びサーバ装置における処理は、実施の形態１または実施の形態２と同様に行われる。本実施の形態３においても、データ処理システムを動作させることにより、サーバ装置によって、本実施の形態３におけるデータ収集方法が実行される。【００９６】  図１０を用いて、本実施の形態３における測定装置の処理について説明する。図１０は、本発明の実施の形態３における測定装置で行われる処理を示すフロー図である。図１０に示すように、先ず、測定装置の測定部２によって測定データの取得が行われる（ステップＳ５１）。このとき、制御部は取得された測定データを時間情報と共に記憶部に格納する。次いで、取得された測定データは、表示部５の表示画面に数値で表示される（ステップＳ５２）。ステップＳ５１及びＳ５２は、実施の形態１において図６に示したステップＳ１及びＳ２と同様のステップである。【００９７】  次いで、測定装置の制御部は、利用者からコード変換の指示が入力されたからどうかの判定をする（ステップＳ５３）。ステップＳ５３は、実施の形態１において図６に示したステップＳ３と同様のステップである。本実施の形態３においても、制御部は、コード変換ボタン（図２参照）が入力されたかどうかの判定を行う。【００９８】  判定の結果、利用者からコード変換の指示がなかった場合は、次の測定データの取得が行われる���で、測定装置は待機状態となる。本実施の形態３においては、利用者が意図する個数の測定データが取得されるまで、ステップＳ１及びＳ２が繰り返される。【００９９】  一方、利用者からコード変換の指示があった場合は、コード変換部３は、記憶部４から、複数個の測定データ、各測定データの時間情報、及び付加情報を読み出す。更に、コード変換部は、付加情報及び時間情報が付加された複数個の測定データを、一括して、バーコード、２次元コード又はコンポジットコードに変換する（ステップＳ５４）。【０１００】  その後、ステップＳ５４で得られたバーコード、２次元コード又はコンポジットコードが、測定装置の表示画面に表示され（ステップＳ５５）、本実施の形態３における測定装置における処理は終了する。ステップＳ５５は、実施の形態１において図６に示したステップＳ５と同様に行われる。【０１０１】  この後、端末装置及びサーバ装置は、実施の形態１において図６に示した処理、又は実施の形態２において図９に示した処理を実行する。なお、本実施の形態３においては、サーバ装置には、複数個の測定データが含まれた情報が送信されるため、サーバ装置は、測定データと、対応する時間情報とを、関連付けて記憶部に格納する。また、サーバ装置は、医師のＰＣに、追加された複数の測定データ全てを通知できる。【０１０２】  このように、本実施の形態３によれば、複数個の測定データを一度にまとめてサーバ装置に送信できる。このため、例えば、利用者の病状の程度等により、一日分の測定データをまとめて送信して良い場合においては、利用者における手間を軽減できる。また、利用者が、一定期間の間、端末装置の通信エリア外にいた場合においては、利用者が端末装置の通信エリア内に戻ってきたときに、それまでの間に取得された未送信の測定データをまとめて送信できるので、利用者の利便性の向上を図ることができる。【０１０３】  また、本実施の形態３においても、実施の形態１と同様に、測定装置と端末装置とをアダプタやケーブルによって接続することなく、測定装置で取得されたデータを端末装置に取り込んで送信することができる。また、実施の形態１と同様に、どのような種類の測定装置であっても測定データを取り込むことができ、従来のように測定装置毎に、ソフトを開発する必要はない。
【産業上の利用可能性】
【０１０４】  以上説明したように、本発明によれば、データ送信を行う端末装置と各種測定装置とを接続することなく、簡単に測定データの読込み及び送信を行うことができる。このため、各種の測定装置で取得された測定データの処理を簡単に行うことができ、又システム構築にかかる費用を削減できる。
【図１】
0004814787.tif 000002
【図２】
0004814787.tif 000003
【図３】
0004814787.tif 000004
【図４】
0004814787.tif 000005
【図５】
0004814787.tif 000006
【図６】
0004814787.tif 000007
【図７】
0004814787.tif 000008
【図８】
0004814787.tif 000009
【図９】
0004814787.tif 000010
【図１０】
0004814787.tif 000011